(57)【要約】【課題】  相手認識システムは、生徒、教師、スタッフ、親、卒業生、入学予定者、経営者のプロファイルを自動的に作成することができる。【解決手段】  個人のプロファイルを自動的に作成する相手認識システムであって、インデックス付与手段（ＣＰＵ１１とＲＯＭ内プログラムにより構成される）と、前記インデックス付与手段によりインデックスを付与した前記情報を記憶するプロファイルデータベース１７１と、インデックス付与の基礎となるデータソースを入手するデータソース取得手段（ＣＰＵ１１とＲＯＭ内プログラムにより構成される）と、を備える。【選択図】    図１
2005115651.tif 000002
【特許請求の範囲】
【請求項１】
個人のプロファイルを自動的に作成する相手認識システムであって、
インデックス付与手段と、
前記インデックス付与手段によりインデックスを付与した前記情報を記憶するプロファイルデータベースと、
インデックス付与の基礎となるデータソースを入手するデータソース取得手段と、
を備えたことを特徴とする相手認識システム。
【請求項２】
前記インデックス付与手段が、自然言語処理アルゴリズム、パターン適合手段、オントロジー処理手段、分類学的処理手段、自動要約処理手段の少なくとも１つをを含むことを特徴とする請求項１から４の何れかに記載の相手認識システム。
【請求項３】
前記データソースが通信データ、授業資料、学業成績の少なくとも１つを含むことを特徴とする請求項１または２に記載の相手認識システム。
【請求項４】
前記データソース取得手段が、前記データソースを他の情報システムとの相互作用により生成することを特徴とする請求項１から３の何れかに記載の相手認識システム。
【請求項５】
管理者またはユーザーが手動でプロファイルを編集するための編集手段を備えたことを特徴とする請求項１から４の何れかに記載の相手認識システム。
【請求項６】
前記編集手段により、ユーザーが、追加文書をインデックス付与手段に渡すことができ、または異なるバージョンのプロファイルを作成できることを特徴とする請求項４に記載の相手認識システム。
【請求項７】
ユーザーがプロファイルと相互に交信する閲覧用インターフェース手段とを含むことを特徴とする請求項１から５の何れかに記載の相手認識システム。
【請求項８】
前記閲覧用インターフェース手段が、ユーザーのステータスに基づき、当該ユーザーに異なるインターフェースを提供すること、能動的にユーザーに類似した人々のプロファイルを提示することを特徴とする請求項６に記載の相手認識システム。
【請求項９】
前記閲覧用インターフェース手段により、ユーザーが、他のユーザーのプロファイルを検索できること、または一度に多くのユーザーのプロファイルを視覚化できることを特徴とする請求項６または７に記載の相手認識システム。
【請求項１０】
ユーザーが、クエリー、文書またはプロファイルに関連したプロファイルを検索できる検索手段をさらに備えたことを特徴とする請求項１から８の何れかに記載の相手認識システム。
【請求項１１】
データソース取得手段が、ユーザーが、通信ツールを用いて他のユーザーと接続できる通信手段をさらに備えたこを特徴とする請求項１から９の何れかに記載の相手認識システム。
【請求項１２】
教育施設に適用されることを特徴とする１から１０の何れかに記載の相手認識システム。
【発明の詳細な説明】
【技術分野】
【０００１】
本発明は、教育施設のための相手認識システム（Ｋｎｏｗ  Ｗｈｏ  Ｓｙｓｔｅｍ）に関する。
【背景技術】
【０００２】
現在、多くの国では、専門の知識を持った学生を業界や政府に就職させたり、研究員として派遣したりすることが行なわれることが多い。このよう人材供給は、強力な教育上のシステムに依存している。
【０００３】
コンピューター、他の先進科学技術の開発や浸透は、学科や専門分野の多様性の増加に貢献している。学校には、他の文化を持つ多くの国々からの学生が在籍し、教師もまた外国人であることもあり、教育現場も多様化しつつある。これらの変化につれて、学生、教師、スタッフにとっては、かってのように簡単に相互に関りを持つことが難しくなっている。したがって、社会の情報の変化の速度に、学生や教師が追随していくことが難しくなっている。
【０００４】
教育における他の重要な変化としては、遠隔教育（または、電子会議利用システム等を利用たＥラーニング）の増加である。すべての学年には、多くの学生が遠隔教育を受けており、これらの学生は、教師やクラスメートと、インターネットやＥメール、その他のデジタル形態の通信によりコンタクトすることができる。
【発明の開示】
【発明が解決しようとする課題】
【０００５】
しかし、これらの学生の多くは、遠隔地からクラスに参加するため、教師や同級の学生に会ったり相互に関係を持ったりすることを余計に難しくしている。また、これらの学生が、クラスを選択する前に、その質を判断することもより難しくなっている。
【０００６】
学校では授業の資料、学生・教師の名簿などをオンラインで情報提供したり、さらにはデジタルミーティングの開催などにより、これらの問題を克服するための努力をしている。残念なことに、これらのマニュアルによるアプローチでは、非効率的であり、かつ労力を要するものになりがちであり、しかも上記したような情報はすぐ古くなってしまう。情報の検索者もまた、互いに通信できる他のユーザーを識別するために、あるいは他のユーザに自己の識別情報を提供するために多くの作業を要する。
【０００７】
近年、相手認識システムの作成により、これらの問題を解決しようとする試みもなされている。この相手認識システムでは自動的に、現在の文書を使用している参加者のプロファイルを作成できる、ユーザーが質問を持ったり、文書を書いたり、あるトピックスについて読むと、システムがその答えを提供してくれたり、その書類で共有したりできる。また、この相手認識システムでは、追加情報をくれそうな他のユーザーを推薦することもできるである。ユーザーは、Ｅメールやインスタントメッセンジャー或いは他のツールを用いて、その推薦されたユーザーと通信を開始できる。
【０００８】
従来、ソフトウェアベンダー数社が、業務用に相手認識システムを作成してきた経緯はあるものの、これらのシステムは教育的な設定には適していない。現在のシステムは、階層のない設定を想定しがちだが、大学は考慮すべき非常に特殊な階層を（ユーザーグループ内、及びユーザーグループ同志で）持っている。現在の相手認識システムは、Ｅメールシステム、文書保管庫、及びその他法人の知的情報源からプロファイルを作成することはできるが、成績証明書、スケジュール、図書館記録といった明確な教育的資源は考慮していない。
【０００９】
また、現在の相手認識システムは個人同士の情報交換を前提とするものが一般的であり、広範な目的を持って教育施設に接続したグループのユーザが等が利用するには不向きである。これらの理由により、教育施設用の新規解決策が必要である。
【００１０】
本発明の目的は、相手認識システムは、生徒、教師、スタッフ、親、卒業生、入学予定者、経営者のプロファイルを自動的に作成することができる教育現場において好適な相手認識システムを提供することにある。
【課題を解決するための手段】
【００１１】
本発明の相手認識システムは、教育施設等において、個人のプロファイルを自動的に作成するものであって、インデックス付与手段と、前記インデックス付与手段によりインデックスを付与した前記情報を記憶するプロファイルデータベースと、インデックス付与の基礎となるデータソースを入手するデータソース取得手段と、を備えたことを特徴とする。
【００１２】
相手認識システムは、Ｅｘｐｅｒｔｉｓｅ  ＬｏｃａｔｏｒｓまたはＥｘｐｅｒｔ  Ｆｉｎｄｅｒｓとしても知られており、ユーザは、本発明の相手認識システムを用いることで、所定の人に関する情報（人的関係情報）を容易に取得することができる、また当該情報を参照してある判断を下す場合の補助とすることができる。また、相手認識システムは、人との交流に際して、他の人とコンタクトする場合の助けとなる。
【００１３】
本発明の相手認識システムでは、ユーザーは、ユーザーインタフェースを用いて、プロファイルのどの部分を共有情報とすべきか（たとえば、認識処理の対象とすべきか）、どの個人またはどのグループについて、共有するかを選択できる。
【００１４】
ユーザー（または、所定のグループに属するユーザ）は、ユーザーインターフェースから特定のニーズをサポートする機能を持ったシステムへのインターフェースを持つことができる。
【００１５】
本発明の相手認識システムでは、学生、教師、学校スタッフ、卒業生、親、入学予定者、および経営者（および、教授アシスタント、ドナーのような他のグループ）のプロファイルを保存することができる。プロファイルは、仕事、経歴、興味、会員情報、趣味、好み、交友関係、目標などであり、連絡先情報、スキル、経験を含むこともできる。
【００１６】
本発明の相手認識システムでは、施設内のコミュニティーを促進する方策として、類似のプロファイルを持つ新参者あるいは人々を紹介もすることができる。検索の結果は、検索者にとって個人的なものとされ、結果の視覚化をサポートしている。学校のコミュニブィーの他のメンバーを探した後、ユーザーはＥメール、インスタントメッセージング、電話、あるいは他の方法（当該他のメンバーにより彼らのプロファイルに設定された制限による）を用いて通信を開始できる。ユーザーの各グループは、提案されたシステムを使用するための多くの方法を探し出すことができる。また、その使用法の幾つかを掲示したチャートを別に添付することができ。これもまた、各種のユーザーインターフェースを設計するための部分的な機能リストとして使用できる。
【００１７】
本発明の相手認識システムでは、作成者、編集者、閲覧者のような各個人に関する文書を索引付けし、集約化し、分類、タグ付け、クラスター化、及び要約化して自動的にプロファイルを作成する。これらの、プロファイルは中央集中サーバーに保存される。
【００１８】
本発明の相手認識システムでは、前記インデックス付与手段は、自然言語処理アルゴリズム、パターン適合手段、オントロジー処理手段、分類学的処理手段、自動要約処理手段の少なくとも１つをを含むことができる。なお、オントロジーとは、高度な検索を行うために、語彙と語彙の関係などの概念の体系を表わす技術である。
【００１９】
本発明の相手認識システムでは、前記データソースが通信データ（Ｅメール、インスタントメッセージのログ等）、授業資料（ノート、宿題、テスト、提出、評価等）、学業成績（願書、スケジュール、成績証明書、成績等）を含むことができる。
【００２０】
本発明の相手認識システムでは、前記データソース取得手段は、前記データソースを他の情報システム（図書館システム、Ｗｅｂサーバー等）との相互作用により生成することができる。
【００２１】
本発明の相手認識システムでは、管理者またはユーザーが手動でプロファイルを編集するための編集手段を備えたことを特徴とする請求項１から９の何れかに記載の相手認識システム。
【００２２】
ユーザーは彼ら自身の情報のためのフィルターの役目をすることができ、自動プロファイル作成手段による提案について、承認あるいは拒絶をすることができる。ユーザーは彼らのプロファイルのどの部分をそれぞれのユーザーグループと共に表示する選択し、必要に応じて新しいグループを決定できる。
【００２３】
本発明の相手認識システムでは、前記編集手段により、ユーザーが、追加文書をインデックス付与手段に渡すことができ、またユーザーが、異なるバージョンのプロファイルを作成することができる。
【００２４】
本発明の相手認識システムでは、ユーザーは、プロファイルと相互に交信する閲覧用インターフェース手段とを含むことができる。ユーザーの各グループは、プロファイルに対して異なるインターフェースを持つように構成できる。たとえば、前記閲覧用インターフェース手段は、ユーザーのステータス（学生、教師、スタッフ、卒業生）に基づき、ユーザーに異なるインターフェースを提供することができる。また、前記閲覧用インターフェース手段により、ユーザーは、他のユーザーのプロファイルを検索できるように構成してもよいし、前記閲覧用インターフェース手段により、ユーザーが、一度に多くのユーザーのプロファイルを視覚化できるように構成してもよい。
【００２５】
前記閲覧用インターフェース手段は、能動的にユーザーに類似した人々のプロファイルを提示するように構成できる。
【００２６】
また、本発明の相手認識システムでは、ユーザーが、クエリー、文書またはプロファイルに関連したプロファイルを検索できる検索手段をさらに備えることができるし、ユーザーが、通信ツール（Ｅメール作成手段、インスタントメッセージング作成手段、電子会議参加手段等）を用いて他のユーザーと接続できる通信手段を備えることもできる。
【発明の効果】
【００２７】
特に教育現場において好適であり、相手認識システムは、生徒、教師、スタッフ、親、卒業生、入学予定者、経営者のプロファイルを自動的に作成することができる。
【発明を実施するための最良の形態】
【００２８】
本発明の一実施形態の相手認識システムを図１のブロック図および図２の説明図により説明する。相手認識システムは、コンピュータあるいは専用のハードウェアにインストールすることができるソフトウェアシステムにより構築することができる。
【００２９】
図１において、相手認識システム１は、ＣＰＵ１１と、ＲＯＭ１２と、ＲＡＭ１３と、操作・表示部１４と、印刷装置１５と、通信部１６と、記憶装置１７とからなる。
【００３０】
ＣＰＵ１１は、相手認識システム１全体を制御する。ＲＯＭ１２には、オペレーティングシステム、各種ドライバが保存されている。ＲＡＭ１３には、自動的にプロファイルを作成するために必要な、アルゴリズムとツールが、たとえば記憶装置１７上から呼び出されて格納される。すなわち、ＲＡＭ１３には、インデックス付与モジュール、編集モジュール、検索モジュール、通信モジュール、インタフェースモジュールが格納されている。操作・表示部１４は、キーボードマウス等の操作部１４１とＬＥＤ等の表示部１４２とからなる。印刷装置１５はプリンタであり、通信部１６は通信インタフェースである。記憶装置１７は、ハードディスク等のストレージでありプロファイルＤ／Ｂ１７１と通常記憶部１７２とからなる。
【００３１】
図２のシステム説明図により、図１の相手認識システム１の動作を説明する。図２において、インデックス付与モジュールＭＤ１は、図１の通信部１６を介してＥメールＤ／Ｂ、ＷＥＢログ、カレンダー、学業成績、授業資料等のようなネットワーク上の他のデータソースへのアクセス許可を与えられ、データソースについて、集合処理・クラスタ処理・分類処理・要約処理を行なうこと等により、プロファイルを作成する。作成したプロファイルは、プロファイルＤ／Ｂ１７１（図２ではＳＴＲＧで示す）に格納される。
【００３２】
プロファイルＤ／Ｂの内容を図３および図４に示す。学生プロファイルは、Ｅメール、インスタントメッセージ、宿題の提出、授業の配布資料、クラス指定、成績報告書、カレンダーの入力、閲覧されたＷｅｂページ、図書館の活動、システム及び他のユーザーとの相互交流、及び教師によって作成されたか閲覧された他の文書を索引付けすることで作成される。
【００３３】
教師プロファイルは、Ｅメール、インスタントメッセージ、授業の配布資料、クラス指定とテスト、宿題の提出、成績報告書、評価書式、出版された論文、カレンダーの入力、閲覧されたＷｅｂページ、システム及び他のユーザーとの相互交流、及びその教師によって作成されたか閲覧された他の文書を索引付けすることで作成される。
【００３４】
スタッフプロファイルは、Ｅメール、従業員名簿、インスタントメッセージ、カレンダーの入力、閲覧されたＷｅｂページ、システム及び他のユーザーとの相互交流、及びそのスタッフによって作成されたか閲覧された他の文書を索引付けすることで作成される。
【００３５】
卒業生のプロファイルは、卒業生は彼らの個人的ファイルのー部をシステムに索引付けさせることを選択することもできるが、その卒業生が学生だったときの資料に基づく。卒業生はかれらの就業場所などに関する情報を手動で追加することができる。このシステムはその卒業生と、このシステムまたはその他のシステムのユーザーとの間のやり取りを索引付けしたりすることができる。
【００３６】
親プロファイルは、彼らの興味や趣味などに対する個人的文書の部分を、システムに索引付けさせることもできるが、適切な学生のプロファイルと直接に関連づけられている。親は、学生の就業場所などに関する情報を手動で追加することができる。このシステムでは、その親と、このシステムまたはその他のシステムのユーザーとの間の何らかの相互交流について索引付けしたりすることができる。
【００３７】
入学予定者のプロファイルは、可能性のある学生により送られた入学願書資料に基づき作成される。入学予定者は、彼らの個人的ファイルのー部をシステムに索引付けさせることを選択することもできる。このシステムはその志望者と、当該システムまたはその他のシステムのユーザーとの間のやり取りを索引付けしたりする。
【００３８】
経営者のプロファイルは、経営者により提出された資料に基づき作成される。このシステムは、その経営者のＷｅｂサイトや当該システムまたは他のシステムのユーザーとの相互交流も索引付けすることができる。経営者は、連絡先住所、仕事のオファー等の詳細を手動で追加できる。プロファイルＤ／Ｂは、インデックス付与モジュールＭＤ１により作成されたプロファイルを含む。このプロファイルＤ／Ｂは、インターフェースモジュールＭＤ２、編集モジュールＭＤ３、検索モジュールＭＤ４、通信モジュールＭＤ５によりアクセスされる。
【００３９】
ユーザーは、インターフェースモジュールＭＤ２により、閲覧・検索・視覚化・接続・シェアを行なうことができ、自分自身と他のユーザー双方のプロファイルへのアクセスも可能になる。インターフェースモジュールＭＤ２は、Ｗｅｂサーバーまたは専用のクライアントアプリケーションにより操作できる。インターフェースモジュールＭＤ２は、そのステータスと優先に基づき、ユーザーに所定の機能を提供することができる。
【００４０】
編集モジュールＭＤ３により、ユーザーは、図１の操作・表示部１４を用いて、自分自身のプロファイルを閲覧し編集できる。ユーザーはインデックス付与モジュールＭＤ１により提供された情報にフィルターをかけ、情報を個人データや文書で補完し、あるいは異なるグループや個人のために異なるレベルでの開示を行なうことができる。
【００４１】
検索モジュールＭＤ４により、ユーザーは他のユーザーを探し出すことができる。このモジュールは各種のクエリーを受容し、関連するプロファイルを持った特定個人や複数の個人を探し出す。ユーザーは各種の基準を用いてその結果をランク付けリストとして閲覧でき、またはー度に複数の次元で彼らを閲覧できるように各種視覚化ツールを用いることができる。
【００４２】
通信モジュールＭＤ５により、ユーザーは他のユーザー、彼らの既知の人物、相手認識システムを用いて識別した人物と通信することができる。ユーザーは、他の個人やグループと彼らのプロファイルをシェアすることを選択できる。ユーザーはまた、Ｅメール、インスタントメッセージング、対話フォーラム、或いはその他の通信ツールを用いて通信を開始できる。
【図面の簡単な説明】
【００４３】
【図１】本発明の一実施形態の相手認識システムを示すブロック図である
【図２】本発明の一実施形態の相手認識システムにおける処理を示す説明図である。
【図３】プロファイルＤ／Ｂの内容の一部を示す説明図である。
【図４】プロファイルＤ／Ｂの内容の他の一部を示す説明図である。
【符号の説明】
【００４４】
１  相手認識システム
１１  ＣＰＵ
１２  ＲＯＭ
１３  ＲＡＭ
１４  操作・表示部
１５  印刷装置
１６  通信部
１７  記憶装置
１４１  操作部
１４２  表示部
１７１  プロファイルＤ／Ｂ
１７２  通常記憶部
【図１】
2005115651.tif 000003
【図２】
2005115651.tif 000004
【図３】
2005115651.tif 000005
【図４】
2005115651.tif 000006